【事件の表示】
　特願２０１１−　９０９３０「通信端末、メール受信プログラムおよびメール受信方法」拒絶査定不服審判事件〔平成２４年１１月１５日出願公開、特開２０１２−２２６４１７〕について、次のとおり審決する。
【結　論】
　本件審判の請求は、成り立たない。
【理　由】
１．手続の経緯・本願発明
　
　本願は、平成２３年４月１５日の出願であって、平成２７年６月２２日付けで拒絶査定がされ、これに対して同年９月２９日に拒絶査定不服審判の請求がなされると同時に手続補正がなされ、当審において平成２８年５月９日付けで拒絶理由通知がなされ、同年７月８日付けで手続補正がされたものである。
　本願の請求項１に係る発明（以下、「本願発明」という。）は、平成２８年７月８日付け手続補正書の特許請求の範囲の請求項１に記載された、次のとおりのものと認める。
　
「【請求項１】
　ファイルが添付されたメールを受信する、通信端末であって、
　秘匿用のメールアドレスを記憶する記憶部、
　メールの発信元のメールアドレスと前記秘匿用のメールアドレスとが一致するかを判断する判断部、
　前記判断部によって一致すると判断されたとき、受信したメールを秘匿メールとして保存させる秘匿メール保存部、
　前記秘匿メール保存部によって保存させた秘匿メールに添付された第１ファイルに隠し属性を自動的に設定する設定部、
　前記設定部によって隠し属性が設定された第１ファイルを保存させる第１ファイル保存部、
　前記判断部によって一致しないと判断されたとき、受信したメールを通常メールとして保存させる通常メール保存部、
　前記通常メール保存部によって保存させた通常メールに添付された第２ファイルを保存させる第２ファイル保存部、
　前記判断部によって一致すると判断されたときメールを受信したことを通知せず、前記判断部によって一致しないと判断されたとき、メールを受信したことを通知する受信通知部、
　受信したメールを表示する際に、前記秘匿メールを表示する表示操作が行われたかを判断する表示判断部、
　前記表示判断部によって前記表示操作が行われたと判断されたとき、前記秘匿メールを表示する秘匿メール表示部、
　前記秘匿メール表示部によって前記秘匿メールが表示されるとき、その秘匿メールに添付されていた第１ファイルの隠し属性を解除する解除部、および
　前記表示判断部によって前記表示操作が行われていないと判断されたとき、前記通常メール保存部によって保存させた通常メールを表示する通常メール表示部を備える、通信端末。」
　
　
２．引用発明・周知技術
　
（１）引用例１
　当審で通知した拒絶理由に引用された、本願出願前に頒布された刊行物である特開２００５−１０７８３５号公報（以下、「引用例１」という。）には、図面とともに以下の記載がある。（下線部は当審において付加した。以下同じ）　
　
ア．「【技術分野】
【０００１】
　
本発明は、電子メール等（以下、メールという。）のメッセージを送受信できる通信端末装置、特に添付ファイル付のメールを送受信することが可能な通信端末装置に関する
　
イ．「【発明が解決しようとする課題】
【０００６】
　携帯電話では、受信メールの格納領域と、そのメールの添付ファイルの格納領域が分けられていることが一般的である。受信メールの格納領域であるメールフォルダと添付ファイルを格納領域であるデータフォルダが関連付けられていない場合、受信メールがシークレットフォルダに入れるべきものであるにも関わらず、添付ファイルは通常のデータフォルダに格納される。この時、添付ファイルは暗証番号の認証なしに表示でき、第三者が自由に表示させることが出来るという問題点があった（特許文献１乃至４）。」（３頁２９−３６行）
ウ．「【００１９】
  ［第１の実施の形態］
　第１の実施の形態では、
受信したメールをアドレス帳データ格納領域Ｒ１に記憶された振り分け条件に従い、自動的に受信メールとその添付ファイルを通常メールかシークレットメールかに振り分ける通信端末装置
【００２０】
　まず、構成を説明する。
【００２１】
　図１ａはカメラ付携帯電話の前面の外観を示す図である。図１ｂはカメラ付携帯電話の背面の外観を示す図である。図４はカメラ付き携帯電話の回路ブロック図である。図１ａ、図１ｂ、図２を合わせて説明する。
【００２２】
　図１ａ、図１ｂ、図４に示すように
カメラ付携帯電話１は無線部２０と、通信データ処理部２１、オーディオインターフェース部２２と、撮像部２３と、キー入力部２４と、制御部２５と、ＲＯＭ(Read Only Memory)２６と、ＲＡＭ(Random Access Memory)２７と、報知部２８と、表示部２９と、で構成される
【００２３】　・・・中略・・・
【００２４】　・・・中略・・・
【００２６】　・・・中略・・・
【００２７】　・・・中略・・・
【００２８】　・・・中略・・・
　
制御部２５は、ＣＰＵ(Central-processing Unit)等からなり、ＲＯＭ２６に格納されるシステムプログラムをＲＡＭ２７に展開して、このプログラムとの協働により、携帯電話１の各部の動作を統括的に制御し、携帯電話機能を実現する
【００２９】
　
ＲＯＭ(Read Only Memory)２６はシステムプログラムの他、メール作成・管理処理プログラム及び各プログラムで処理されたデータ等を記憶する。アドレス帳データ格納領域Ｒ１のデータや、メールのタイトル、メール本文中のキーワードや、添付ファイルのタイトル、キーワード、種類などをもとに、メールの振り分けを自動で行う場合の条件を格納する領域としても使用される
【００３０】
　
ＲＡＭ(Random Access Memory)２７は、制御部２５によって実行される各種プログラム及びこれらのプログラムに係るデータを一時的に記憶するワークエリアを形成する
【００３１】
　報知部２８は報知用スピーカー１１６と報知用ＬＥＤ１１２と、からなり、通話または受信メール着信時に着信音やランプの明滅により使用者に対して着信の通知を行う。
【００３２】
　表示部２９はメイン表示部１０１と、サブ表示部１１３と、で構成される。」（５頁３９行−６頁４５行）
　
エ．「【００３３】
　図５はＲＡＭ２７のメモリ構成を示す図である。
【００３４】
　
ＲＡＭ２７は、電話番号、氏名、メールアドレスなどの個人情報をアドレス帳用データとして格納するアドレス帳データ格納領域Ｒ１と、メールの送受信元アドレス、本文、添付ファイル数、添付ファイルの格納先アドレスといったデータを格納するメールデータ格納領域Ｒ２と、シークレットメールの添付ファイルを格納するＲ３と、
シークレットメールでない通常メールの添付ファイルを格納する通常データ格納領域Ｒ７と、で構成される
【００３５】
　アドレス帳データ格納領域Ｒ１のデータはアドレス帳を表示させるアドレス帳モードにてメイン表示部１０１にて表示させることが可能である。メールデータ格納領域Ｒ２のデータはメールを表示させるメールモードにて表示可能である。フィルタリングデータ記憶領域Ｒ８に設定されている振り分け条件はメールモードにて設定、表示させることができる。
【００３６】
　その他のデータ格納領域はデータフォルダ一覧からそれぞれのフォルダを指定することで、メイン表示部１０１へ表示可能である。ただし、シークレットデータ格納領域のデータ表示には暗証番号入力による認証が必要となる。」（６頁４６行−７頁１７行）　
　
オ．「【００３７】
　図６はＲＡＭ２７内のメールデータ格納領域Ｒ２の構成図である。
【００３８】
　
メールデータ格納領域Ｒ２は、受信メール記憶部４０と、送信メール記憶部４１と、からなる。受信メール記憶部４０は通常受信メール記憶部４２と、暗証番号の認証を必要とするシークレット受信メール記憶部４３と、からなる。送信メール記憶部も受信メール記憶部と同様に、通常送信メール記憶部４３と、シークレット送信メール記憶部４４と、とからなる
【００３９】
　受信メール記憶部４０は、メールの送信元を示す送信元アドレスと、受信メールのタイトルと、受信メールの本文、添付ファイル数と、ＲＡＭ２７のどの領域に添付ファイルが格納されているかを示す添付ファイル格納先アドレスと、で構成されるデータを格納するフォルダである。
【００４０】
　送信メール記憶部４１は、メールの送信先を示す送信先アドレスと、受信メールのタイトルと、受信メールの本文、添付ファイル数と、ＲＡＭ２７のどの領域に添付ファイルが格納されているかを示す添付ファイル格納先アドレスと、で構成されるデータを格納するフォルダである。」（７頁１８−３５行）
カ．「【００４５】
　次に、本実施の形態における動作を説明する。
【００４６】
　まず、通信端末装置１により実行されるメールの自動受信処理について、図６に示すフローチャート、図９に示すフローチャート、図１０に示すフローチャート、を参照して説明する。
【００４７】
　図８に示すフローチャートにおいて、
メールサーバーからメールの着信通知を受けると、自動的にメールサーバーにアクセスして自分宛てのメールをダウンロードするように設定している場合、メールは自動的に受信される
【００４８】
　
受信メールをシークレットメールであると判別する条件データ、例えば、送信者名や送信者のメールアドレス、メールのタイトルや本文中のキーワード、添付ファイルのタイトルやファイルの種類など、は予めＲＡＭ２７へ記憶しておく。振り分け条件が送信者のメールアドレスの場合は図７に示すアドレス帳格納領域Ｒ１にフィルタリング用フラグを立てる領域を設けることも可能である。これらの判別条件により、受信メールはシークレットメールか否か判断される
【００４９】
　
受信メールがシークレットメールと判断され
添付ファイルが添付されていると判断された場合
添付ファイルをシークレットデータ格納領域Ｒ３に格納する
【００５０】
　
メール及び添付ファイルの格納アドレスはメールデータ格納領域Ｒ２内のシークレット受信メール記憶部内に格納される
【００５１】
　受信メールがシークレットメールと判断され（ステップＳ１０２；Ｙ）が添付ファイルがないと判断された場合（ステップＳ１０３；Ｎ）、その受信メールはシークレット受信メール格納領域に格納される（ステップＳ１０７）。
【００５２】
　
その後、表示部２９において、画面の明滅、マーク表示の変化、色変えなど通常受信時の異なる特別な表示を行う
【００５３】
　表示部２９の報知方法として、メイン表示部１０１において、受信レベルマーク２０１や図３の当日の日付２０４、ユーザーが指定したマーク、または、ランダムマークを点滅若しくは色変えするなどして、ユーザーにシークレットメールの着信を報知することが可能である。サブ表示部１１３においては画面の明滅、色変え、メールを受信したとの旨を文字表示することにより報知可能である。その画面やマークの変化は、受信時又は受信後一定時間だけでも良いし、ユーザーがメールを確認するまで継続させることもできる。
【００５４】
　
受信メールが通常メールと判断され
かつそのメール添付ファイルがあると判断された場合
添付ファイルを通常データ格納領域Ｒ７へ格納する
【００５５】
　
そのメール及び添付ファイルの格納アドレスはメールデータ格納領域Ｒ２内の通常受信メール記憶部４２に格納される
【００５６】
　
その後、表示部２９において、画面の明滅、メールマーク表示など、通常受信時の表示を行う
  報知部２８において、着信音やランプの明滅により使用者に対して着信の報知を行う（ステップＳ１１１）。」（８頁３行−９頁４行）
キ．「【００５７】
　次に、
メール受信後のメールの読み出し表示に関して、図９、図１０に示すフローチャートと図１１のメールメニュー表示例を参照して説明する
【００５８】
　
図１１はメールメニュー表示例である。このメールメニュー表示はキー入力部２４からのキー操作によりメイン表示部１０１に表示される
メニュー表示されている図中のメニュー項目はカーソルキー１０４またはテンキー１１１で選択し、決定キー１０５を押下することで操作が確定する
【００５９】
　
メールメニューにおいて、シークレットメールではない通常のメールを表示させる場合、キー入力部２４のキー操作により通常受信フォルダを選択する
【００６０】
　
通常メールフォルダに格納されているメールリストが表示され、本文を表示させたいメールを選択する
【００６１】
　
選択した受信メールの本文など、メールの内容を知りたい場合、キー入力部２４のキー操作により表示指示を出し
受信メールを表示する
【００６２】
　表示したメールの内容が他の第三者に知られたくない内容のメールだった場合、そのメールをシークレットメールとして登録する指示をキー入力部２４よりだす（ステップＳ２０６；Ｙ）。
【００６３】
　表示したメールに添付ファイルがあると判断された場合（ステップＳ２０７；Ｙ）、添付ファイルをシークレットデータ格納領域Ｒ３へ移動する（ステップＳ２０８）。メール及び添付ファイルの格納アドレスはメールデータ格納領域Ｒ２内のシークレット受信メール記憶部４３内に移動される（ステップＳ２０９）、本読み出し処理は終了する。
【００６４】　・・・中略・・・
【００６５】　・・・中略・・・
【００６６】　・・・中略・・・
【００６７】　・・・中略・・・
【００６８】　・・・中略・・・
【００６９】　・・・中略・・・
　
図１１のメールメニューにおいて、シークレット受信フォルダを選択した場合（ステップＳ２１５；Ｙ）について説明する
【００７０】
　
メールメニューにおいて、シークレット受信フォルダを選択した場合、そのフォルダの内容を表示するには暗証番号の入力が必要となる
暗証番号の入力が正しかったときシークレット受信フォルダ内のメールリストを表示することができる
【００７１】
　
リスト表示上でどのメールを表示するかメールを選択する
【００７２】
　
メールの本文表示をキー入力部２４からのキー操作により行われた場合
メールの本文が表示される
【００７３】
　
表示したメールはシークレットメールとして登録されているが、シークレットメールとしての登録を解除するか否かを選択できる
シークレット解除の指示があった場合
そのメールの添付ファイルの有無を判別する
【００７４】
　
添付ファイルが存在した場合
添付ファイルをシークレットデータ格納領域Ｒ３から通常データ格納領域Ｒ７へ移動し
メール及び添付ファイルの格納アドレスをシークレット受信メール記憶部４３から通常受信メール記憶部４２へ移動する
【００７５】
　メールリスト上でメール選択をするのみで（ステップＳ２２３）、本文を表示することなく（ステップＳ２２４；Ｎ）、選択メールがシークレットメールとして解除指示があり（ステップＳ２３０；Ｙ）でかつ添付ファイルが有った場合（ステップＳ２２７；Ｙ）、添付ファイルは通常データ格納領域Ｒ７へ移動され（ステップＳ２２８）、受信メールとその添付ファイルの格納アドレスは通常受信メール記憶部４２へ移動され（ステップＳ２２９）、読み出し処理は終了する。添付ファイルがない場合（ステップＳ２２７；Ｎ）は選択した受信メールは通常受信メール記憶部４３へ移動され（ステップＳ２３１）、メールの読み出し処理は終了する。」（９頁５行−１０頁４８行）
ク．「【０１３４】
　図４のメールデータ格納領域Ｒ２内のメモリ構成の変形例として、図１４のようにシークレットメールか否かはシークレットフラグ（図中のＳＣＦ）で識別する方式にして、シークレットメールと通常メールを単一のフォルダに格納する構成としたもので、かつメール本文とタイトルなどのメール情報などを別フォルダへ記憶する構成としてもよい。」（１５頁２５−２９行）
　上記ウ．の段落【００２８】の記載によれば、「制御部２５」は「ＲＯＭ２６に格納されるシステムプログラムをＲＡＭ２７に展開して、このプログラムとの協働により、携帯電話１の各部の動作を統括的に制御し、携帯電話機能を実現する」ものであるから、上記カ．に記載される「メールの自動受信処理」、及び上記キ．に記載される「メールの読み出し表示」に関する処理は、「制御部２５」によって行われると認められる。
　
　以上総合すると、引用例１には、結局、次の発明（以下、「引用発明」という。）が開示されていると認められる。
　
「受信したメールをアドレス帳データ格納領域Ｒ１に記憶された振り分け条件に従い、自動的に受信メールとその添付ファイルを通常メールかシークレットメールかに振り分けるカメラ付携帯電話１であって、
　前記カメラ付携帯電話１は無線部２０と、通信データ処理部２１、オーディオインターフェース部２２と、撮像部２３と、キー入力部２４と、制御部２５と、ＲＯＭ(Read Only Memory)２６と、ＲＡＭ(Random Access Memory)２７と、報知部２８と、表示部２９と、で構成され、
　前記制御部２５は、ＣＰＵ(Central-processing Unit)等からなり、前記ＲＯＭ２６に格納されるシステムプログラムを前記ＲＡＭ２７に展開して、このプログラムとの協働により、前記携帯電話１の各部の動作を統括的に制御し、携帯電話機能を実現し、
　前記ＲＯＭ２６は、システムプログラムの他、メール作成・管理処理プログラム及び各プログラムで処理されたデータ等を記憶し、アドレス帳データ格納領域Ｒ１のデータや、メールのタイトル、メール本文中のキーワードや、添付ファイルのタイトル、キーワード、種類などをもとに、メールの振り分けを自動で行う場合の条件を格納する領域としても使用され、
　前記ＲＡＭ２７は、前記制御部２５によって実行される各種プログラム及びこれらのプログラムに係るデータを一時的に記憶するワークエリアを形成し、また、電話番号、氏名、メールアドレスなどの個人情報をアドレス帳用データとして格納する前記アドレス帳データ格納領域Ｒ１と、メールの送受信元アドレス、本文、添付ファイル数、添付ファイルの格納先アドレスといったデータを格納するメールデータ格納領域Ｒ２と、シークレットメールの添付ファイルを格納するシークレットデータ格納領域Ｒ３と、シークレットメールでない通常メールの添付ファイルを格納する通常データ格納領域Ｒ７と、で構成され、
　前記メールデータ格納領域Ｒ２は、受信メール記憶部４０と、送信メール記憶部４１と、からなり、前記受信メール記憶部４０は通常受信メール記憶部４２と、暗証番号の認証を必要とするシークレット受信メール記憶部４３と、からなり、送信メール記憶部も受信メール記憶部と同様に、通常送信メール記憶部４３と、シークレット送信メール記憶部４４とからなっており、
　前記制御部２５は、
　メールサーバーからメールの着信通知を受けると、自動的にメールサーバーにアクセスして自分宛てのメールをダウンロードするように設定されている場合、メールを自動的に受信し、
　受信メールをシークレットメールであると判別する前記振り分け条件として、前記ＲＡＭ２７の前記アドレス帳格納領域Ｒ１のフィルタリング用フラグを立てたメールアドレスを用い、受信メールがシークレットメールであるか否かを判断し、受信メールがシークレットメールと判断され、添付ファイルが添付されていると判断された場合は、添付ファイルを前記シークレットデータ格納領域Ｒ３に格納し、メール及び添付ファイルの格納アドレスを前記メールデータ格納領域Ｒ２内の前記シークレット受信メール記憶部４３に格納し、その後、前記表示部２９において、画面の明滅、マーク表示の変化、色変えなど通常受信時と異なる特別な表示を行い、
　受信メールが通常メールと判断され、かつ該メールに添付ファイルがあると判断された場合は、添付ファイルを前記通常データ格納領域Ｒ７へ格納し、該メール及び添付ファイルの格納アドレスを前記メールデータ格納領域Ｒ２内の前記通常受信メール記憶部４２に格納し、その後、前記表示部２９において、画面の明滅、メールマーク表示など、通常受信時の表示を行い、
　メール受信後のメールの読み出し表示を行うために、前記キー入力部２４からのキー操作によりメイン表示部１０１にメールメニューを表示し、該メールメニューにおいて、シークレットメールではない通常のメールを表示させる場合は、前記キー入力部２４のキー操作により通常受信フォルダが選択されると、該通常メールフォルダに格納されているメールリストを表示し、本文を表示させたいメールを選択され、選択された受信メールの本文など、メールの内容を知りたい場合、キー入力部２４のキー操作により表示指示が出されると受信メールを表示し、
　前記メールメニューにおいて、シークレット受信フォルダが選択された場合は、そのフォルダの内容を表示させるには暗証番号の入力を必要とし、暗証番号の入力が正しかったときシークレット受信フォルダ内のメールリストを表示し、リスト表示上でどのメールを表示するかメールを選択させ、メールの本文表示を前記キー入力部２４からのキー操作により行われるとメールの本文を表示し、
　該表示されたメールについては、シークレットメールとしての登録を解除するか否かを選択でき、シークレット解除の指示があった場合は、そのメールの添付ファイルの有無を判別し、添付ファイルが存在した場合は、添付ファイルを前記シークレットデータ格納領域Ｒ３から前記通常データ格納領域Ｒ７へ移動し、メール及び添付ファイルの格納アドレスを前記シークレット受信メール記憶部４３から前記通常受信メール記憶部４２へ移動する、
　カメラ付携帯電話１。」
　　
 　
（２）引用例２
　当審で通知した拒絶理由に引用された、本願出願前に日本国内において頒布された刊行物である「パソコン内にある大切なデータを守る　ウィンドウズ編」、ＹＯＭＩＵＲＩ　ＰＣ、日本、２００１．１１．０１発行、第６巻、第１６号、１８〜２５頁（以下、「引用例２」という。）には、図面とともに以下の記載がある。　
ア．「アクセスできないようにファイル属性を変更する
　パソコンを守るうえで、スクリーンセーバーのパスワード機能はかなりセキュリティーレベルを向上してくれる。しかし、そのパスワードを解読されれば、パソコンの中は無防備だ。そこで、個々のデータのファイル属性を変更し、書き換えや削除の防止、あるいは盗み見られることがないようにしてしまおう。
　
ちなみにファイル属性とは
フォルダーの表示オプション設定によってファイル自体が表示されない「隠しファイル」といった特性を個々に設定するためのもの
　まずここで「読み取り専用」にチェックを入れておくと、ファイルの内容を書き換えても上書き保存できなくなる。上書き保存しようとすると「ファイル名を付けて保存」画面が自動的に表示され、別途保存するしかなくなるのだ。また、ごみ箱に移動しようすると、ファイルが読み取り専用になっている警告が表示され、本当に削除してよいのかを尋ねてくる。このように「読み取り専用」は、ファイルの内容は確認できるし、警告が出ても簡単に削除できるため、他人に対するよりも、自分の操作ミスからデータを守るための設定だと考えておこう。
　一方、
「隠しファイル」は、文字どおりファイル自体をディスプレー上に表示しないようにするものだ。ウィンドウズの標準の設定では「隠しファイル」が非表示になっているため、属性を「隠しファイル」にすることでファイルは存在しても、どこにあるのかわからなくなる。そのファイルが必要になったら、フォルダーの表示オプションの設定を変更して「隠しファイル」を表示できるようにすればよい
　
属性の切り替えだけの簡単な操作なので、必要に応じて使い分けてみるとよい。
（３）引用例３
　当審で通知した拒絶理由に引用された、本願出願前に日本国内において頒布された刊行物である特開２００３−７６６４７号公報（以下、「引用例３」という。）には、図面とともに以下の記載がある。
ア．「【００１７】
「隠しファイル」の属性とは、ファイルへのユーザのアクセスを許可するか否かを設定するものであり、現在流通しているパソコンなどで用いられているファイルシステムにおいても用いられているものである。隠しファイル属性を「True」に設定したデータは、ユーザからアクセスできないようにする。例えば、図２のSoundディレクトリにある点線の四角で囲まれたファイルは、いずれも隠しファイル属性を「True」に設定している。従って、Soundディレクトリに存在するデータの一覧を表示する場合、四角で囲まれたデータは一覧に表示しないかまたは選択不可能であることを示す表示を行う
イ．「【００５４】次に本実施形態における画像データおよび音声データのメール受信方法について説明する。メール送受信手段114は、通信手段115を介してデータをメールで受信すると、受信したデータを記憶制御部102に送り、データ記憶手段111に記憶する。このとき、記憶制御部102は、同じ名前の画像データと音声データがある場合、記憶制御部102は画像データのリンクファイル属性を「True」、隠しファイル属性を「False」に設定し、音声データのリンクファイル属性および隠しファイル属性を「True」に設定する。メール送受信手段114が記憶制御部102に送るデータは、１回の処理につき１件のメールで受信したデータ（すなわち同じ送信元から同時に受信したデータ）のみとし、複数件のメールで受信したデータを１度に記憶制御部102に送らないものとする。こうすることで、他件のメールで受信した同じファイル名のデータを誤って関連付けてしまう危険性がなくなる。なお、ファイル属性の設定を行う前に、リンクの設定を行うかどうかをユーザに確認することが望ましい。」（１０頁１７−１８欄）
　上記引用例２、３の記載事項及び図面、及び、この分野の技術常識を考慮すると、引用例２または引用例３には、結局、次の技術事項（以下、「周知の技術」という。）が開示されていると認められる。
「秘匿したいファイルに「隠しファイル」属性を設定することで、秘匿したいファイルと通常のファイルを同一フォルダ内で保存し管理すること。」
　
３．対比
　
　本願発明と引用発明とを対比する。
　
ａ．引用発明の「カメラ付携帯電話１」は、「自動的に受信メールとその添付ファイルを通常メールかシークレットメールかに振り分ける」ものであるから、本願発明の「ファイルが添付されたメールを受信する、通信端末」に相当する。
　　
ｂ．引用発明の「アドレス帳データ格納領域Ｒ１」は、「受信したメール」を「シークレットメールであると判別」するための「振り分け条件」を「メールアドレス」として記憶するものであるから、引用発明の「アドレス帳データ格納領域Ｒ１」は、本願発明の「秘匿用のメールアドレスを記憶する記憶部」に相当する。
ｃ．引用発明の「制御部２５」は、「アドレス帳データ格納領域Ｒ１」の「振り分け条件」として「フィルタリング用フラグを立てたメールアドレス」によって、「受信メールがシークレットメールか否か判断」する動作を行うものであるから、引用発明は、本願発明の「メールの発信元のメールアドレスと前記秘匿用のメールアドレスとが一致するかを判断する判断部」に相当する構成を有している。
ｄ．引用発明の「制御部２５」は、「受信メールがシークレットメールと判断し」たときは、「メール及び添付ファイルの格納アドレスは前記メールデータ格納領域Ｒ２内の前記シークレット受信メール記憶部４３に格納」する動作を行うものであるから、引用発明の「シークレットメール」は、本願発明の「秘匿メール」に相当し、さらに、引用発明は、本願発明の「前記判断部によって一致すると判断されたとき、受信したメールを秘匿メールとして保存させる秘匿メール保存部」に相当する構成を有している。　
ｅ．引用発明の「シークレットメール」の「添付ファイル」は、本願発明の「秘匿メールに添付された第１ファイル」に相当する。
　ここで、本願発明の「隠し属性」の設定は、段落【００４５】に「・・・。また、そのメールに添付ファイルが含まれていれば、添付ファイルに隠し属性を設定して、その添付ファイルを秘匿の状態にする。」と記載されるように、添付ファイルを秘匿の状態にするために行うものと認められる。
  一方、引用発明の「制御部２５」は、「シークレットメール」の「添付ファイル」に、「隠し属性」を設定し、その後、保存するものではないが、「シークレットメール」の「添付ファイルを前記シークレットデータ格納領域Ｒ３に」格納し秘匿の状態にする動作を行うものであるから、引用発明の「制御部２５」が「受信メールがシークレットメールと判断され、添付ファイルが添付されていると判断された場合は、添付ファイルを前記シークレットデータ格納領域Ｒ３に格納」することと、本願発明の「設定部」が「秘匿メールに添付された第１ファイルに隠し属性を自動的に設定」し、「保存部」が「前記設定部によって隠し属性が設定された第１ファイルを保存させる」こととは、「秘匿メールに添付された第１ファイルを秘匿ファイルとして格納させる」点で共通し、引用発明と本願発明は「前記秘匿メール保存部によって保存させた秘匿メールに添付された第１ファイルを秘匿ファイルとして格納させる秘匿ファイル格納部」といえる構成を有する点で共通する。
　
ｆ．引用発明の「制御部２５」は、「受信メールが通常メールと判断され」たときは、「メール及び添付ファイルの格納アドレスはメールデータ格納領域Ｒ２内の通常受信メール記憶部４２に格納」する動作を行うものであるから、引用発明は、本願発明の「前記判断部によって一致しないと判断されたとき、受信したメールを通常メールとして保存させる通常メール保存部」に相当する構成を有している。
ｇ．引用発明の「制御部２５」は、「受信メールが通常メールと判断され」たときは、「添付ファイルを前記通常データ格納領域Ｒ７へ格納」する動作を行うものであるから、引用発明の「通常メール」の「添付ファイル」は、本願発明の「通常メールに添付された第２ファイル」に相当し、さらに、引用発明は、本願発明の「前記通常メール保存部によって保存させた通常メールに添付された第２ファイルを保存させる第２ファイル保存部」に相当する構成を有している。
ｈ．引用発明において、「制御部２５」が「受信メールが通常メールと判断され」たときに、「前記表示部２９において、画面の明滅、メールマーク表示など、通常受信時の表示を行」い、「受信メールがシークレットメールと判断され」たときに、「通常受信時と異なる特別な表示を行」うことと、本願発明における「受信通知部」が「判断部によって一致すると判断されたときメールを受信したことを通知せず、前記判断部によって一致しないと判断されたとき、メールを受信したことを通知する」こととは、「判断部によって一致しないと判断されたとき、メールを受信したことを通知する」点で共通するから、引用発明と本願発明とは、いずれも、「判断部によって一致しないと判断されたとき、メールを受信したことを通知する通知部」といえる構成を有する点で共通する。
ｉ．引用発明の「制御部２５」は、「メール受信後のメールの読み出し表示を行うために、前記キー入力部２４からのキー操作によりメイン表示部１０１にメールメニューを表示し」、「前記メールメニューにおいて、シークレット受信フォルダを選択した場合は、そのフォルダの内容を表示するには暗証番号の入力が必要とし、暗証番号の入力が正しかったときシークレット受信フォルダ内のメールリストを表示し、リスト表示上でどのメールを表示するかメールを選択し、メールの本文表示を前記キー入力部２４からのキー操作により行」ったことを判断し、「メールの本文が表示」する動作を行うものであるから、引用発明は、本願発明の「受信したメールを表示する際に、前記秘匿メールを表示する表示操作が行われたかを判断する表示判断部」、及び「前記表示判断部によって前記表示操作が行われたと判断されたとき、前記秘匿メールを表示する秘匿メール表示部」に相当する構成を有している。
ｊ．引用発明において、「制御部２５」が「表示されたメールについては、シークレットメールとしての登録を解除するか否かを選択でき、シークレット解除の指示があった場合は、そのメールの添付ファイルの有無を判別し、添付ファイルが存在した場合は、添付ファイルを前記シークレットデータ格納領域Ｒ３から前記通常データ格納領域Ｒ７へ移動」することと、本願発明の「解除部」が「前記秘匿メール表示部によって前記秘匿メールが表示されるとき、その秘匿メールに添付されていた第１ファイルの隠し属性を解除する」こととは、引用発明において、添付ファイルの通常データ格納領域Ｒ７への移動により、添付ファイルの隠匿状態は解除されるものであることから、「前記秘匿メール表示部によって前記秘匿メールが表示され、その秘匿メールに添付されている第１ファイルの秘匿を解除する」という点で共通し、引用発明と本願発明はとは、いずれも、「前記秘匿メール表示部によって前記秘匿メールが表示され、その秘匿メールに添付されている第１ファイルの秘匿を解除する解除部」といえる構成を有する点で共通する。
ｋ．引用発明の「制御部２５」は、「該メールメニューにおいて、シークレットメールではない通常のメールを表示させる場合は、前記キー入力部２４のキー操作により通常受信フォルダを選択すると、該通常メールフォルダに格納されているメールリストが表示し、本文を表示させたいメールを選択し、選択した受信メールの本文など、メールの内容を知りたい場合、キー入力部２４のキー操作により表示指示」がされたと判断すると「受信メールを表示」する動作を行うものであるから、引用発明は、本願発明の「前記表示判断部によって前記表示操作が行われていないと判断されたとき、前記通常メール保存部によって保存させた通常メールを表示する通常メール表示部」に相当する構成を有している。
　そうすると、本願発明と引用発明とは次の点で一致ないし相違するものと認められる。
　
（一致点）
　
「ファイルが添付されたメールを受信する、通信端末であって、
　秘匿用のメールアドレスを記憶する記憶部、
　メールの発信元のメールアドレスと前記秘匿用のメールアドレスとが一致するかを判断する判断部、
　前記判断部によって一致すると判断されたとき、受信したメールを秘匿メールとして保存させる秘匿メール保存部、
　記秘匿メール保存部によって保存させた秘匿メールに添付された第１ファイルを秘匿ファイルとして格納する秘匿ファイル格納部、
  前記判断部によって一致しないと判断されたとき、受信したメールを通常メールとして保存させる通常メール保存部、
　　前記通常メール保存部によって保存させた通常メールに添付された第２ファイルを保存させる第２ファイル保存部、
　前記判断部によって一致しないと判断されたとき、メールを受信したことを通知する通知部、
　受信したメールを表示する際に、前記秘匿メールを表示する表示操作が行われたかを判断する表示判断部、
　前記表示判断部によって前記表示操作が行われたと判断されたとき、前記秘匿メールを表示する秘匿メール表示部、
　前記秘匿メール表示部によって前記秘匿メールが表示されると、その秘匿メールに添付されていた第１ファイルの秘匿を解除する解除部、および
　前記表示判断部によって前記表示操作が行われていないと判断されたとき、前記通常メール保存部によって保存させた通常メールを表示する通常メール表示部を備える、
　通信端末。」
　
　一方、次の各点で相違すると認める。
　
（相違点１）
　上記「秘匿ファイルとして格納する」ことが、本願発明では、「設定部」によって「秘匿メールに添付された第１ファイルに隠し属性を自動的に設定」し、「設定部によって隠し属性が設定された第１ファイルを保存させる」のに対して、引用発明では、「添付ファイル」を「シークレットデータ格納領域」に格納する点。
　
（相違点２）
　上記「メールの発信元のメールアドレスと前記秘匿用のメールアドレスとが一致するかを判断する判断部」「によって一致すると判断されたとき」、「通知部」は、本願発明では、「メールを受信したことを通知しない」のに対して、引用発明では、「通常受信時と異なる特別な表示を行」う点。
　
（相違点３）
　上記「第1ファイルの秘匿を解除」するときが、本願発明では、「秘匿メールが表示されるとき」であるのに対し、引用発明では、「シークレットメール」が表示され、シークレットメールとしての登録の解除の指示があったときである点。
（相違点４）
　上記「第1ファイルの秘匿」の「解除」が、本願発明では、「第１ファイルの隠し属性を解除する」ことにより行われるのに対して、引用発明では、「添付ファイルをシークレット格納領域Ｒ３から通常データ格納領域Ｒ７へ移動」することにより行われる点。
　
４．検討
　
　そこで、上記各相違点について検討する。
（相違点１）、（相違点４）について
　引用例１の段落【０１３４】には、「 図４のメールデータ格納領域Ｒ２内のメモリ構成の変形例として、図１４のようにシークレットメールか否かはシークレットフラグ（図中のＳＣＦ）で識別する方式にして、シークレットメールと通常メールを単一のフォルダに格納する構成とした」と記載されているように、メールデータについて、通常メールとシークレットメールの格納領域を別にするか、フラグ等により識別するかは、当業者が適宜選択し得る事項である。
　そうすると、引用発明において、メールデータだけでなく、添付ファイルについても、同様に、格納領域を別とするのではなく、フラグ等による属性の変更を行う構成とすること自体に困難性はないから、隠しファイル属性を設定することによりファイルを秘匿する周知技術を採用し、相違点１、４に係る構成を得ることは当業者が容易に想到し得た事項である。
（相違点２）について
　引用発明において、シークレットメールは、第三者に知られたくない内容のメールであり、受信の通知は、通常受信時と異なる特別な表示を行うものである。そして、第三者に知られたくない場合に、受信を本人しか分からない第三者に知られない表示等で通知することは、当然、想定されることである。
　そして、受信を第三者に知られないようにどのように受信通知をするかは、本人への受信通知の利便性と第三者に知られる危険性の両方を考慮して適宜決定する当業者の設計事項にすぎないから、本人の利便性より第三者に知られる危険性を重視して、メールの受信自体を通知しないようにすることは当業者が容易に想到し得た事項である。
　このことは、例えば、特開２００６−６７４２５号公報の段落【００１８】、【００１９】、【００８９】、【０１０６】〜【０１０８】に、指定されたユーザからのメールの着信に対しては着信動作を行わないことが記載されていることからも明らかである。
　　
（相違点３）
　引用発明では、シークレットメールとしての登録の解除を行うときには、シークレットメールの表示をしている状態で、シークレットメールとしての登録を解除するか否かを選択できるようになっており、シークレットメールとしての登録を解除すれば、シークレットメールに添付された添付ファイルの秘匿状態も解除されるようになっている。端末の画面の操作において、ユーザに確認や選択を求めるか否かは、選択の確率、入力操作がすぐに確定すること、操作内容の重要性、誤った操作を行ったときのやり直しのし易さ等を考慮して適宜決定する設計事項であるか、引用発明において、シークレットメールが表示されると、シークレットメールとしての登録が解除されることが多い場合に、シークレットメールとしての登録を解除するか否かの選択を省いて、シークレットメールを表示すると、添付された添付ファイルの秘匿状態を解除するようにすることは、当業者が容易に想到し得た事項である。
　そして、本願発明の効果も、引用発明及び周知技術から想到される構成から当業者が予想できる範囲のものである。
　　
５．むすび
　
　以上のとおりであって、本願発明は、上記引用例１に記載された発明、並びに周知の技術に基づいて当業者が容易に発明をすることができたものであるから、特許法第２９条第２項の規定により特許を受けることができない。
　したがって、本願は他の請求項について検討するまでもなく、拒絶されるべきものである。　
　よって、結論のとおり審決する。